(57)【要約】【課題】風速を連続的に測定できる風速測定機及びこれを備えた環境試験装置を提供する。【解決手段】全圧がかかる測定孔２４ａが形成された第１圧力管２４と、静圧がかかる測定孔２５ａが形成された第２圧力管２５と、圧縮空気を送出するエアコンプレッサ６と、エアコンプレッサ６から送出された圧縮空気を第１圧力管２４及び第２圧力管２５に供給する状態と供給しない状態とを切り換えることができる電磁弁６１ａ、６２ａ、６３ａとを備える。【選択図】図２
2019152589.tif 000002
【特許請求の範囲】
【請求項１】
ピトー管式の風速測定機であって、
全圧がかかる第１測定孔が形成された第１圧力管と、
静圧がかかる第２測定孔が形成された第２圧力管と、
前記第１圧力管及び前記第２圧力管に圧縮気体を供給する気体供給手段とを備えていることを特徴とする風速測定機。
【請求項２】
前記気体供給手段を制御する供給制御手段をさらに備えており、
前記供給制御手段は、前記第１圧力管及び前記第２圧力管に定期的に圧縮気体が供給されるように前記気体供給手段を制御することを特徴とする請求項１に記載の風速測定機。
【請求項３】
前記気体供給手段により供給される圧縮気体は、露点温度が測定空気の露点温度以下の空気であることを特徴とする請求項１又は２に記載の風速測定機。
【請求項４】
前記気体供給手段により供給される圧縮気体の温度は、０度未満であることを特徴とする請求項１〜３のいずれか１項に記載の風速測定機。
【請求項５】
前記第１圧力管及び前記第２圧力管にそれぞれ接続された２つの単接続導圧管、並びに、前記第１圧力管及び第２圧力管の両方に接続された１つの双接続導圧管の少なくとも一方と、
前記２つの単接続導圧管及び前記１つの双接続導圧管の少なくとも一方に接続された圧力計とを備えており、
前記気体供給手段は、前記２つの単接続導圧管及び前記１つの双接続導圧管の少なくとも一方を介して前記第１圧力管及び前記第２圧力管に圧縮気体を供給することを特徴とする請求項１〜４のいずれか１項に記載の風速測定機。
【請求項６】
前記２つの単接続導圧管及び前記１つの双接続導圧管の少なくとも一方において、前記圧縮気体が供給される箇所と対応する前記圧力計との間にそれぞれ配置された開閉弁と、
前記開閉弁を制御する弁制御手段とをさらに備えており、
前記弁制御手段は、前記気体供給手段により圧縮気体が供給されるときに前記開閉弁を閉状態にすることを特徴とする請求項５に記載の風速測定機。
【請求項７】
前記圧力計で計測された圧力を出力する出力手段をさらに備えており、
前記出力手段は、前記気体供給手段により圧縮気体が供給されている間は、圧縮気体が供給される前に前記圧力計で計測された圧力を出力することを特徴とする請求項５又は６に記載の風速測定機。
【請求項８】
請求項１〜７のいずれかの風速測定機と、
内部に被試験物が配置される試験室と、
前記試験室内の温度及び湿度の少なくとも一方を調整する空調機器とを備え、
前記風速測定機は、前記試験室内の風速を測定するものであることを特徴とする環境試験装置。
【発明の詳細な説明】
【技術分野】
【０００１】
本発明は、ピトー管式の風速測定機及びこれを備えた環境試験装置に関する。
【背景技術】
【０００２】
一般に、被試験物が配置された試験室内の温度や湿度等を変化させて環境試験を行う環境試験装置が知られている。特許文献１には、上述のような環境試験装置であって、試験室内の風速を測定するための風速計を備えているものが開示されている。
【先行技術文献】
【特許文献】
【０００３】
【特許文献１】特開２０１１−０２２０１５号公報
【発明の概要】
【発明が解決しようとする課題】
【０００４】
上述のような環境試験装置において試験室内の風速を測定するための風速測定機は、幅広い温度帯及び湿度帯で風速を精度良く安定的に測定できるものであることが望まれる。このような観点から、ピトー管式の風速測定機を採用することが好ましい。
【０００５】
しかしながら、ピトー管式の風速測定機を採用した場合に、氷点下で湿度を制御する環境試験を行うと、空気中に浮遊している霜や過冷却水がピトー管に当たってピトー管に霜が付く可能性がある。この霜により、ピトー管の圧力検知用測定孔が時間とともに塞がり、風速測定に大きな誤差が生じ、さらには測定不能となる可能性がある。
【０００６】
本発明の目的は、風速を連続的に測定できる風速測定機及びこれを備えた環境試験装置を提供することである。
【課題を解決するための手段】
【０００７】
本発明の風速測定機は、ピトー管式の風速測定機であって、全圧がかかる第１測定孔が形成された第１圧力管と、静圧がかかる第２測定孔が形成された第２圧力管と、前記第１圧力管及び前記第２圧力管に圧縮気体を供給する気体供給手段とを備えている。
【０００８】
この構成によると、気体供給手段により第１圧力管及び第２圧力管に圧縮気体を供給することで、第１測定孔及び第２測定孔に付着した霜を吹き飛ばすことができる。したがって、第１測定孔及び第２測定孔が霜により塞がるのを抑制できる。よって、風速を連続的に測定できる。
【０００９】
さらに、本発明の風速測定機では、前記気体供給手段を制御する供給制御手段をさらに備えており、前記供給制御手段は、前記第１圧力管及び前記第２圧力管に定期的に圧縮気体が供給されるように前記気体供給手段を制御することが好ましい。
【００１０】
この構成によると、定期的に第１測定孔及び第２測定孔に付着した霜を吹き飛ばすことができる。よって、第１測定孔及び第２測定孔が霜により塞がるのを確実に抑制できる。
【００１１】
加えて、本発明の風速測定機では、前記気体供給手段により供給される圧縮気体は、露点温度が測定空気の露点温度以下の空気であることが好ましい。
【００１２】
この構成によると、気体供給手段が供給した圧縮気体により霜が付くのを抑制できる。
【００１３】
また、本発明の風速測定機では、前記気体供給手段により供給される圧縮気体の温度は、０度未満であることが好ましい。
【００１４】
圧縮気体の温度が０度以上である場合には、第１圧力管及び第２圧力管に付着している霜が解け、第１圧力管及び第２圧力管の表面を流れて、別の箇所で再氷結する虞がある。上記の本発明の構成では、圧縮気体の温度が０度未満であるので、第１圧力管及び第２圧力管に付着している霜を溶かすことなく吹き飛ばすことができる。
【００１５】
また、本発明の風速測定機では、前記第１圧力管及び前記第２圧力管にそれぞれ接続された２つの単接続導圧管、並びに、前記第１圧力管及び第２圧力管の両方に接続された１つの双接続導圧管の少なくとも一方と、前記２つの単接続導圧管及び前記１つの双接続導圧管の少なくとも一方に接続された圧力計とを備えており、前記気体供給手段は、前記２つの単接続導圧管及び前記１つの双接続導圧管の少なくとも一方を介して前記第１圧力管及び前記第２圧力管に圧縮気体を供給してもよい。
【００１６】
この構成によると、圧力計に接続される導圧管を利用して圧縮気体を供給することで、風速測定機の構成を簡易化できる。
【００１７】
加えて、本発明の風速測定機では、前記２つの単接続導圧管及び前記１つの双接続導圧管の少なくとも一方において、前記圧縮気体が供給される箇所と対応する前記圧力計との間にそれぞれ配置された開閉弁と、前記開閉弁を制御する弁制御手段とをさらに備えており、前記弁制御手段は、前記気体供給手段により圧縮気体が供給されるときに前記開閉弁を閉状態にすることが好ましい。
【００１８】
この構成によると、圧力計での計測に気体供給手段により供給された圧縮気体の影響が及ばないようにできる。
【００１９】
また、本発明の風速測定機では、前記圧力計で計測された圧力を出力する出力手段をさらに備えており、前記出力手段は、前記気体供給手段により圧縮気体が供給されている間は、圧縮気体が供給される前に前記圧力計で計測された圧力を出力することが好ましい。
【００２０】
この構成によると、気体供給手段により圧縮気体が供給されている間も継続して圧力の出力を行うことができる。
【００２１】
本発明の環境試験装置は、上記のいずれかの風速測定機と、内部に被試験物が配置される試験室と、前記試験室内の温度及び湿度の少なくとも一方を調整する空調機器とを備え、前記風速測定機は、前記試験室内の風速を測定するものである。
【００２２】
この構成によると、風速測定機により試験室内の風速を連続的に測定できる。
【発明の効果】
【００２３】
以上の説明に述べたように、本発明によれば、気体供給手段により第１圧力管及び第２圧力管に圧縮気体を供給することで、第１測定孔及び第２測定孔に付着した霜を吹き飛ばすことができる。したがって、第１測定孔及び第２測定孔が霜により塞がるのを抑制できる。よって、風速を連続的に測定できる風速測定機を提供できる。
【図面の簡単な説明】
【００２４】
【図１】本発明の実施形態にかかる風速測定機が備えられる環境試験装置の概略構成を示す図である。
【図２】図１に示す環境試験装置に配置される風洞及び風速測定機の概略構成を示す図である。
【図３】図２のIII-III線に沿った断面図である。
【図４】風速測定に関する処理手順の一例を示すフローチャートである。
【発明を実施するための形態】
【００２５】
以下、本発明の好適な実施の形態について、図面を参照しつつ説明する。
【００２６】
[環境試験装置１００の構成]
まず、図１〜図３を参照しつつ本発明の一実施形態にかかる風速測定機１が備えられる環境試験装置１００の構成について説明する。環境試験装置１００は、被試験物１０の雰囲気状態を所定の条件に沿って変化させる試験を行うものである。
【００２７】
図１に示すように、環境試験装置１００の略矩形形状を有する筐体である試験槽３の内部には、上下に延びる仕切り壁３８が設けられている。試験槽３内の空間は、仕切り壁３８により試験室４と空調室５とに仕切られている。試験槽３の上壁と仕切り壁３８との間には上部孔３８ａが形成されており、試験槽３の下壁と仕切り壁３８との間には下部孔３８ｂが形成されている。したがって、試験室４と空調室５とは、上部孔３８ａ及び下部孔３８ｂを介して互いに連通している。試験槽３の外部には、作業者に情報を表示するためのディスプレイ８が設けられている。
【００２８】
試験室４は、被試験物１０を設置して試験を行うための空間である。空調室５には、送風機５１、加湿器５２、加熱器５３、及び冷凍機の冷却器５４が収容されている。加湿器５２は空調室５内の空気を加湿するものであり、例えば超音波加湿器からなる。加湿器を容器内の水を内蔵ヒータで加熱して加湿するタイプのものとし、冷凍機の冷却器５４の下に置く構成としてもよい。加熱器５３は空調室５内の空気を加熱するものであり、例えばシーズヒータ等の電熱ヒータからなる。冷凍機の冷却器５４は空調室５内の空気を冷却したり除湿したりするものであり、例えば蒸気圧縮式冷凍機、ペルチェ素子、スターリング冷却器、ヒートパイプ、ヒートレーン等を用いた冷却器からなってよい。
【００２９】
試験室４から下部孔３８ｂを通って空調室５に流入した空気は、順次、冷却器５４、加熱器５３、及び加湿器５２によってその温度及び湿度が調整される。そして、所定の温度及び湿度となった空気が、送風機５１により上部孔３８ａを介して再び試験室４に流入する。試験室４における上部孔３８ａの近傍には、温度と湿度との検出が可能な温湿度センサ４１が配置されている。よって、送風機５１によって試験室４に送られる空気の温湿度を検出することができる。なお、送風機５１によって空調室５内の空気が試験室４に送り出されることで、試験室４内の空気が下部孔３８ｂを通って空調室５内に流入する。こうして、試験室４と空調室５との間を空気が循環する。
【００３０】
試験室４には、その一端部（図１中右側端部）に被試験物１０が取り付けられた略円筒状の風洞２が配置されている。被試験物１０は、例えば自動車ラジエター等である。図２に示すように、風洞２の被試験物１０が取り付けられている側とは反対側の端部（図２中左側端部）にはラス網２１が取り付けられている。そして、風洞２内には、ラス網２１が取り付けられている側の端部（図２中左側端部）から順番に、送風機２２、整流板２３、第１圧力管２４、及び第２圧力管２５が配置されている。第１圧力管２４及び第２圧力管２５は、風速測定機１を構成するものである。
【００３１】
送風機２２は、風洞２の被試験物１０が取り付けられている側とは反対側（図２中左側）の空気を吸引して、被試験物１０に向かって空気を送り出すものである。すなわち、送風機２２により風洞２の内部には、図２中左側から右側に向かう気流が発生する。整流板２３は、風洞２の軸方向に平行な面を有する板で構成されている。図３に示すように、整流板２３は、風洞２の軸方向から見てＸ字型を有している。
【００３２】
[風速測定機１の構成]
風速測定機１は、試験室４に配置された風洞２内の風速を測定するものである。風速測定機１はピトー管式であり、第１圧力管２４及び第２圧力管２５を備えている。図２に示すように、第１圧力管２４は風洞２内において上下方向に延びており、上下方向に並ぶ複数の測定孔２４ａが形成されている。測定孔２４ａは、図２中左側の部分に形成されている。すなわち、送風機２２により風洞２内に気流が発生されたとき、測定孔２４ａには全圧がかかる。第２圧力管２５は、風洞２内において上下方向に延びており、上下方向に並ぶ複数の測定孔２５ａが形成されている。測定孔２５ａは、図２中右側の部分に形成されている。すなわち、送風機２２により風洞２内に気流が発生されたとき、測定孔２５ａには静圧がかかる。
【００３３】
風速測定機１は、図２に示すように、第１圧力計３１、第２圧力計３２、及び第３圧力計３３をさらに備えている。第１圧力計３１は、全圧がかかる測定孔２４ａが形成された第１圧力管２４に第１導圧管３５を介して接続されている。したがって、第１圧力計３１では、全圧を計測することができる。第２圧力計３２は、静圧がかかる測定孔２５ａが形成された第２圧力管２５に第２導圧管３６を介して接続されている。したがって、第２圧力計３２では、静圧を計測することができる。第３圧力計３３は差圧計であり、第１圧力管２４と第２圧力管２５とを接続する第３導圧管３７に接続されている。第３圧力計３３では、第１導圧管３５の圧力（全圧）と第２導圧管３６の圧力（静圧）との差から動圧を計測することができる。
【００３４】
なお、本実施形態では、測定誤差を補正するために、第３圧力計３３で計測された動圧と、第１圧力計３１で計測された全圧と第２圧力計３２で計測された静圧とから算出される動圧との２種類の動圧を取得する。このような誤差補正を考慮しないのであれば、第１圧力計３１及び第２圧力計３２の２つのみ、又は、第３圧力計３３のみを備えていればよい。
【００３５】
図２に示すように風速測定機１は、エアコンプレッサ６をさらに備えている。エアコンプレッサ６からは第１配管６１、第２配管６２、及び第３配管６３が延びている。第１配管６１は、第１導圧管３５に接続されている。第１配管６１には、エアコンプレッサ６と第１導圧管３５とを連通する状態と非連通とする状態とを切り換える電磁弁６１ａが設けられている。よって、電磁弁６１ａを開状態としてエアコンプレッサ６と第１導圧管３５とを連通させることで、エアコンプレッサ６から送出された圧縮空気を第１配管６１及び第１導圧管３５を介して第１圧力管２４に供給することができる。
【００３６】
第２配管６２は、第２導圧管３６に接続されている。第２配管６２には、エアコンプレッサ６と第２導圧管３６とを連通する状態と非連通とする状態とを切り換える電磁弁６２ａが設けられている。よって、電磁弁６２ａを開状態としてエアコンプレッサ６と第２導圧管３６と連通させることで、エアコンプレッサ６から送出された圧縮空気を第２配管６２及び第２導圧管３６を介して第２圧力管２５に供給することができる。
【００３７】
第３配管６３は、第３導圧管３７における第１圧力管２４と第３圧力計３３との間に接続されている。なお、第３配管６３は、第３導圧管３７における第２圧力管２５と第３圧力計３３との間に接続されていてもよい。第３配管６３には、エアコンプレッサ６と第３導圧管３７とを連通する状態と非連通とする状態とを切り換える電磁弁６３ａが設けられている。よって、電磁弁６３ａを開状態としてエアコンプレッサ６と第３導圧管３７と連通させることで、エアコンプレッサ６から送出された圧縮空気を第３配管６３及び第３導圧管３７を介して第１圧力管２４及び第２圧力管２５に供給することができる。
【００３８】
すなわち、エアコンプレッサ６と電磁弁６１ａ、６２ａ、６３ａとは、本発明の「気体供給手段」として機能する。以下の説明において、電磁弁６１ａ、６２ａ、６３ａを「コンプレッサ側電磁弁６１ａ、６２ａ、６３ａ」と称することがある。
【００３９】
第１導圧管３５における第１配管６１が接続されている箇所と第１圧力計３１との間には、電磁弁３５ａが設けられている。第２導圧管３６における第２配管６２が接続されている箇所と第２圧力計３２との間には、電磁弁３６ａが設けられている。第３導圧管３７における第３配管６３が接続されている箇所と第３圧力計３３との間には、電磁弁３７ａが設けられている。電磁弁３５ａ、３６ａ、３７ａは、いずれも流路が連通する状態と非連通とする状態とを切り換えるものである。
【００４０】
よって、電磁弁３５ａを閉状態にして流路を遮断することで、エアコンプレッサ６から送出されて第１導圧管３５に流れ込んだ圧縮空気が第１圧力計３１に流れないようにできる。また、電磁弁３６ａを閉状態にして流路を遮断することで、エアコンプレッサ６から送出されて第２導圧管３６に流れ込んだ圧縮空気が第２圧力計３２に流れないようにできる。さらに、電磁弁３７ａを閉状態にして流路を遮断することで、エアコンプレッサ６から送出されて第３導圧管３７に流れ込んだ圧縮空気が第３圧力計３３に流れないようにできる。以下の説明において、電磁弁３５ａ、３６ａ、３７ａを「圧力計側電磁弁３５ａ、３６ａ、３７ａ」と称することがある。
【００４１】
なお、図示は省略するが、風速測定機１には、エアコンプレッサ６に吸入される空気を除湿するための除湿器(図示せず)が設けられている。そのため、エアコンプレッサ６から第１圧力管２４及び第２圧力管２５に供給される圧縮空気の湿度は、測定空気（試験室４内の空気）の湿度以下となっている。したがって、エアコンプレッサ６から第１圧力管２４及び第２圧力管２５に供給される圧縮空気は、露点温度が測定空気（試験室４内の空気）の露点温度以下である。さらに、風速測定機１は、エアコンプレッサ６に吸入される空気を冷却するための冷却器（図示せず）を備えている。これによって、エアコンプレッサ６から第１圧力管２４及び第２圧力管２５に供給される圧縮空気の温度を０度未満とすることができる。
【００４２】
[コントローラ９の構成]
環境試験装置１００は、コントローラ９（図１参照）をさらに備えている。コントローラ９は、空調室５内に収容されている送風機５１、加湿器５２、加熱器５３、及び冷却器５４を備える冷凍機、風洞２内に配置されている送風機２２、風速測定機１の第１〜第３圧力計３１、３２、３３、圧力計側電磁弁３５ａ、３６ａ、３７ａ、及びコンプレッサ側電磁弁６１ａ、６２ａ、６３ａ、並びに、ディスプレイ８と電気的に接続されており、これら各部を制御するものである。コントローラ９は、ＣＰＵ（Central Processing Unit）、ＲＯＭ（Read Only Memory）、ＲＡＭ（Random Access Memory）等で構成されており、これらの組合せにより、後に詳述するように、本発明に係る「供給制御手段」、「弁制御手段」、及び「出力手段」として機能する。
【００４３】
コントローラ９は、エアコンプレッサ６から送出された圧縮空気が第１圧力管２４及び第２圧力管２５に定期的に供給されるようにコンプレッサ側電磁弁６１ａ、６２ａ、６３ａを制御する。具体的には、前回第１圧力管２４及び第２圧力管２５に圧縮空気を供給してからの経過時間が所定時間に達したときに、電磁弁６１ａ、６２ａ、６３ａを閉状態から開状態に切り換える。すなわち、コントローラ９は、本発明の「供給制御手段」として機能する。圧縮空気を供給する間隔は、最も霜の付きやすい温湿度での霜付き状態を確認し、風速測定に支障の出ない時間間隔を設定する。なお、第１圧力管２４及び第２圧力管２５への圧縮空気の供給は数秒間である。したがって、電磁弁６１ａ、６２ａ、６３ａを閉状態から開状態に切り換え、数秒後に開状態から閉状態に切り換える。
【００４４】
さらに、コントローラ９は、第１圧力管２４及び第２圧力管２５に圧縮空気を供給する際に、圧力計側電磁弁３５ａ、３６ａ、３７aを開状態から閉状態に切り換える。そして、第１圧力管２４及び第２圧力管２５への圧縮空気の供給が終了してから、圧力計側電磁弁３５ａ、３６ａ、３７aを閉状態から開状態に切り換える。すなわち、コントローラ９は、本発明の「弁制御手段」として機能する。
【００４５】
加えて、コントローラ９は、第１圧力計３１、第２圧力計３２、第３圧力計３３で計測された圧力を出力してディスプレイ８に表示させる。第１圧力管２４及び第２圧力管２５に圧縮空気が供給されていないときは、第１〜第３圧力計３１、３２、３３で計測された圧力を逐次ディスプレイ８に表示させる。そして、第１圧力管２４及び第２圧力管２５に圧縮空気が供給されている間は、第１圧力管２４及び第２圧力管２５への圧縮空気の供給が開始される直前に第１〜第３圧力計３１、３２、３３で計測された圧力をディスプレイ８に表示させる。すなわち、コントローラ９は、本発明の「出力手段」として機能する。
【００４６】
ここで、図４を参照しつつ、コントローラ９で行われる風速測定に関する処理手順の一例について説明する。かかる処理は、環境試験装置１００で試験が行われている間に行われるものである。
【００４７】
まず、第１〜第３圧力計３１、３２、３３で計測された圧力を出力してディスプレイ８に表示させる（Ｓ１）。続いて、前回第１圧力管２４及び第２圧力管２５に圧縮空気を供給してからの経過時間が所定時間に達したか否かを判断する（Ｓ２）。経過時間が所定時間に達していないと判断した場合には（Ｓ２：ＮＯ）、Ｓ１に戻る。一方、経過時間が所定時間に達したと判断した場合には（Ｓ２：ＹＥＳ）、圧力計側電磁弁３５ａ、３６ａ、３７ａを開状態から閉状態に切り換える（Ｓ３）。
【００４８】
Ｓ３において圧力計側電磁弁３５ａ、３６ａ、３７ａを開状態から閉状態に切り換えたことで、第１〜第３圧力計３１、３２、３３で圧力の計測ができなくなる。そこで、圧力計側電磁弁３５ａ、３６ａ、３７ａを開状態から閉状態に切り換えた後は、圧力計側電磁弁３５ａ、３６ａ、３７ａを開状態から閉状態に切り換える直前に第１〜第３圧力計３１、３２、３３で計測された圧力を出力してディスプレイ８に表示させる（Ｓ４）。
【００４９】
次に、コンプレッサ側電磁弁６１ａ、６２ａ、６３ａを閉状態から開状態に切り換える（Ｓ５）。これにより、エアコンプレッサ６から送出された圧縮空気が第１圧力管２４及び第２圧力管２５に供給される。そして、数秒間圧縮空気を第１圧力管２４及び第２圧力管２５に供給してから、コンプレッサ側電磁弁６１ａ、６２ａ、６３ａを開状態から閉状態に切り換える（Ｓ６）。さらに、圧力計側電磁弁３５ａ、３６ａ、３７ａを閉状態から開状態に切り換える（Ｓ７）。これにより、再度第１〜第３圧力計３１、３２、３３で圧力の計測ができるようになる。その後、Ｓ１に戻る。
【００５０】
以上のように、本実施形態の風速測定機１は、内部に被試験物１０が配置される試験室４と、試験室４内の温度及び湿度を調整するための空調機器である加湿器５２、加熱器５３、及び冷凍機の冷却器５４とを備えた環境試験装置１００において、試験室４内の風速を測定するピトー管式の風速測定機である。風速測定機１は、全圧がかかる測定孔２４ａが形成された第１圧力管２４と、静圧がかかる測定孔２５ａが形成された第２圧力管２５と、圧縮空気を送出するエアコンプレッサ６と、エアコンプレッサ６から送出された圧縮空気を第１圧力管２４及び第２圧力管２５に供給する状態と供給しない状態とを切り換えることができる電磁弁６１ａ、６２ａ、６３ａとを備えている。したがって、電磁弁６１ａ、６２ａ、６３ａを切り換えてエアコンプレッサ６により送出された圧縮空気を第１圧力管２４及び第２圧力管２５に供給することで、測定孔２４ａ及び測定孔２５ａに付着した霜を吹き飛ばすことができる。よって、測定孔２４ａ及び測定孔２５ａが霜により塞がるのを抑制できる。これにより、環境試験装置１００の試験室４内の風速を連続的に測定できる。
【００５１】
また、本実施形態の風速測定機１では、コントローラ９が、エアコンプレッサ６から送出された圧縮空気が第１圧力管２４及び第２圧力管２５に定期的に供給されるように電磁弁６１ａ、６２ａ、６３ａを制御する。したがって、定期的に測定孔２４ａ及び測定孔２５ａに付着した霜を吹き飛ばすことができる。よって、測定孔２４ａ及び測定孔２５ａが霜により塞がるのを抑制できる。
【００５２】
さらに、本実施形態の風速測定機１では、第１圧力管２４及び第２圧力管２５に供給される圧縮空気は、露点温度が測定空気の露点温度以下の空気である。したがって、供給された圧縮空気により霜が付くのを抑制できる。
【００５３】
加えて、本実施形態の風速測定機１では、第１圧力管２４及び第２圧力管２５に供給される圧縮空気の温度は、０度未満である。圧縮空気の温度が０度以上である場合には、第１圧力管２４及び第２圧力管２５に付着している霜が解け、第１圧力管２４及び第２圧力管２５の表面を流れて、別の箇所で再氷結する虞がある。しかしながら本実施形態では、圧縮空気の温度が０度未満であるので、第１圧力管２４及び第２圧力管２５に付着している霜を溶かすことなく吹き飛ばすことができる。
【００５４】
さらに、本実施形態の風速測定機１では、第１圧力管２４に接続された第１導圧管３５、第２圧力管２５に接続された第２導圧管３６、並びに第１圧力管２４及び第２圧力管２５の両方に接続された第３導圧管３７と、第１〜第３導圧管３５、３６、３７にそれぞれ接続された第１〜第３圧力計３１、３２、３３とを備えている。そして、エアコンプレッサ６から送出された圧縮空気は、第１〜第３導圧管３５、３６、３７を介して第１圧力管２４及び第２圧力管２５に供給される。したがって、第１〜第３圧力計３１、３２、３３に接続される第１〜第３導圧管３５、３６、３７を利用して圧縮空気を第１圧力管２４及び第２圧力管２５に供給することで、風速測定機１の構成を簡易化できる。
【００５５】
また、本実施形態の風速測定機１では、第１〜第３導圧管３５、３６、３７において、エアコンプレッサ６からの配管である第１〜第３配管６１、６２、６３が接続されている箇所と第１〜第３圧力計３１、３２、３３との間に、電磁弁３５ａ、３６ａ、３７ａがそれぞれ配置されている。そして、コントローラ９は、圧縮空気が第１圧力管２４及び第２圧力管２５に供給されるときに電磁弁３５ａ、３６ａ、３７ａを閉状態にする。したがって、第１〜第３圧力計３１、３２、３３での計測にエアコンプレッサ６から送出された圧縮空気の影響が及ばないようにできる。
【００５６】
また、本実施形態の風速測定機１では、コントローラ９が、第１〜第３圧力計３１、３２、３３で計測された圧力を出力してディスプレイ８に表示させる。そして、コントローラ９は、圧縮空気が第１圧力管２４及び第２圧力管２５に供給されている間は、圧縮空気が供給される前に第１〜第３圧力計３１、３２、３３で計測された圧力を出力してディスプレイ８に表示させる。したがって、圧縮空気が第１〜第３圧力計３１、３２、３３に供給されている間も継続して圧力の出力を行うことができる。
【００５７】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００５８】
例えば、上述の実施形態においては、第１圧力管２４及び第２圧力管２５に定期的に圧縮空気を供給する場合について説明したが、これに限定されるものではない。第１圧力管２４及び第２圧力管２５への圧縮空気の供給は不定期に行われるものであってもよい。
【００５９】
また、上述の実施形態においては、エアコンプレッサ６から第１圧力管２４及び第２圧力管２５に供給される空気は、露点温度が測定空気（試験室４内の空気）の露点温度以下であり、且つ、温度が０度未満である場合について説明したが、第１圧力管２４及び第２圧力管２５に供給される空気の露点温度や温度はこれに限定されるものではない。すなわち、露点温度が測定空気の露点温度よりも高くてもよく、温度が０度以上でもよい。さらに、エアコンプレッサ６から空気以外の気体が送出されてもよい。
【００６０】
また、上述の実施形態においては、エアコンプレッサ６から送出された圧縮空気が、第１〜第３圧力計３１、３２、３３に接続されている第１〜第３導圧管３５、３６、３７を介して第１圧力管２４及び第２圧力管２５に供給される場合について説明したが、これに限定されるものではない。すなわち、第１〜第３導圧管３５、３６、３７とは別に、エアコンプレッサ６と第１圧力管２４及び第２圧力管２５とを直接結ぶ配管を設けてもよい。
【００６１】
加えて、上述の実施形態においては、第１〜第３導圧管３５、３６、３７において、エアコンプレッサ６からの配管である第１〜第３配管６１、６２、６３が接続されている箇所と第１〜第３圧力計３１、３２、３３との間に、電磁弁３５ａ、３６ａ、３７ａがそれぞれ配置されている場合について説明したが、これらの電磁弁３５ａ、３６ａ、３７ａはなくてもよい。
【００６２】
また、上述の実施形態においては、コントローラ９は、第１〜第３圧力計３１、３２、３３で計測された圧力を出力してディスプレイ８に表示させる場合について説明したが、これに限定されるものではない。すなわち、例えば、コントローラ９は、第１〜第３圧力計３１、３２、３３で計測された圧力を出力してプリンタで印刷させたり、記憶装置に記憶させたりしてもよい。
【００６３】
また、上述の実施形態においては、圧縮空気が第１圧力管２４及び第２圧力管２５に供給されている間は、圧縮空気が供給される前に第１〜第３圧力計３１、３２、３３で計測された圧力をディスプレイ８に表示させる場合について説明したが、これに限定されるものではない。すなわち、例えば、圧縮空気が第１圧力管２４及び第２圧力管２５に供給されている間は、これまでに第１〜第３圧力計３１、３２、３３で計測された平均の圧力をディスプレイ８に表示させてもよい。
【００６４】
さらに、上述の実施形態においては、環境試験装置１００は温度及び湿度を調整するものであったが、温度及び湿度のうち少なくとも一方を調整するものであってもよい。
【００６５】
加えて、上述の実施形態においては、風速測定機１が環境試験装置１００に用いられていたが、風速測定機１は他の装置で用いられるものであってもよい。
【符号の説明】
【００６６】
１  風速測定機
４  試験室
６  エアコンプレッサ（気体供給手段）
９  コントローラ（供給制御手段、弁制御手段、出力手段）
１０  被試験物
２４  第１圧力管
２４ａ  測定孔（第１測定孔）
２５  第２圧力管
２５ａ  測定孔（第２測定孔）
３１、３２、３３  第１〜第３圧力計
３５、３６  第１導圧管、第２導圧管（単接続導圧管）
３７  第３導圧管（双接続導圧管）
３５ａ、３６ａ、３７ａ  電磁弁（開閉弁）
５２  加湿器（空調機器）
５３  加熱器（空調機器）
５４  冷却器（空調機器）
６１ａ、６２ａ、６３ａ  電磁弁（気体供給手段）
１００  環境試験装置
【図１】
2019152589.tif 000003
【図２】
2019152589.tif 000004
【図３】
2019152589.tif 000005
【図４】
2019152589.tif 000006